【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
複数のアプリケーションの状態、及び、前記複数のアプリケーションの依存関係を管理するアプリケーション管理フレームワークと、
操作情報を入力するためのアプリケーション管理インターフェースと、
アプリケーションの実行に必要なファイル群であるパッケージの依存関係を管理するパッケージ管理システムと、
を有し、
前記アプリケーション管理フレームワークは、前記アプリケーション管理インターフェースから追加が指示されたアプリケーションに設定された設定項目のうち、前記アプリケーションの実行環境に依存する設定項目を参照し、前記実行環境に依存する設定項目に基づいて、前記追加が指示されたアプリケーションにパッケージが含まれる場合に前記含まれるパッケージの依存関係を前記パッケージ管理システムが管理するか、或いは、前記追加が指示されたアプリケーションの依存関係を前記アプリケーション管理フレームワークが管理するかを判断することを特徴とする情報処理装置。
【請求項２】
前記アプリケーション管理フレームワークは、前記アプリケーション管理インターフェースから更新が指示されたアプリケーションが、前記更新が指示されたアプリケーションにパッケージが含まれる場合に前記含まれるパッケージの依存関係を前記パッケージ管理システムが管理するか、或いは、前記更新が指示されたアプリケーションの依存関係を前記アプリケーション管理フレームワークが管理するかを判断することを特徴とする請求項１に記載の情報処理装置。
【請求項３】
前記アプリケーション管理フレームワークは、前記アプリケーション管理インターフェースから削除が指示されたアプリケーションが、前記削除が指示されたアプリケーションにパッケージが含まれる場合に前記パッケージ管理システムが管理しているパッケージの依存関係を更新するか、或いは、前記アプリケーション管理フレームワークが管理しているアプリケーションの依存関係を更新するかを判断することを特徴とする請求項１又は２に記載の情報処理装置。
【請求項４】
複数のアプリケーションの状態、及び、前記複数のアプリケーションの依存関係を管理するアプリケーション管理フレームワークと、操作情報を入力するためのアプリケーション管理インターフェースと、アプリケーションの実行に必要なファイル群であるパッケージの依存関係を管理するパッケージ管理システムとを有する情報処理装置におけるアプリケーション管理方法であって、
前記アプリケーション管理フレームワークは、前記アプリケーション管理インターフェースから追加が指示されたアプリケーションに設定された設定項目のうち、前記アプリケーションの実行環境に依存する設定項目を参照し、前記実行環境に依存する設定項目に基づいて、前記追加が指示されたアプリケーションにパッケージが含まれる場合に前記含まれるパッケージの依存関係を前記パッケージ管理システムが管理するか、或いは、前記追加が指示されたアプリケーションの依存関係を前記アプリケーション管理フレームワークが管理するかを判断することを特徴とするアプリケーション管理方法。
【請求項５】
前記アプリケーション管理フレームワークは、前記アプリケーション管理インターフェースから更新が指示されたアプリケーションが、前記更新が指示されたアプリケーションにパッケージが含まれる場合に前記含まれるパッケージの依存関係を前記パッケージ管理システムが管理するか、或いは、前記更新が指示されたアプリケーションの依存関係を前記アプリケーション管理フレームワークが管理するかを判断することを特徴とする請求項４に記載のアプリケーション管理方法。
【請求項６】
前記アプリケーション管理フレームワークは、前記アプリケーション管理インターフェースから削除が指示されたアプリケーションが、前記削除が指示されたアプリケーションにパッケージが含まれる場合に前記パッケージ管理システムが管理しているパッケージの依存関係を更新するか、或いは、前記アプリケーション管理フレームワークが管理しているアプリケーションの依存関係を更新するかを判断することを特徴とする請求項４又は５に記載のアプリケーション管理方法。
【請求項７】
複数のアプリケーションの状態、及び、前記複数のアプリケーションの依存関係を管理するアプリケーション管理フレームワークと、操作情報を入力するためのアプリケーション管理インターフェースと、アプリケーションの実行に必要なファイル群であるパッケージの依存関係を管理するパッケージ管理システムとしてコンピュータを機能させるためのプログラムであって、
前記アプリケーション管理フレームワークは、前記アプリケーション管理インターフェースから追加が指示されたアプリケーションに設定された設定項目のうち、前記アプリケーションの実行環境に依存する設定項目を参照し、前記実行環境に依存する設定項目に基づいて、前記追加が指示されたアプリケーションにパッケージが含まれる場合に前記含まれるパッケージの依存関係を前記パッケージ管理システムが管理するか、或いは、前記追加が指示されたアプリケーションの依存関係を前記アプリケーション管理フレームワークが管理するかを判断することを特徴とするプログラム。
【請求項８】
前記アプリケーション管理フレームワークは、前記アプリケーション管理インターフェースから更新が指示されたアプリケーションが、前記更新が指示されたアプリケーションにパッケージが含まれる場合に前記含まれるパッケージの依存関係を前記パッケージ管理システムが管理するか、或いは、前記更新が指示されたアプリケーションの依存関係を前記アプリケーション管理フレームワークが管理するかを判断することを特徴とする請求項７に記載のプログラム。
【請求項９】
前記アプリケーション管理フレームワークは、前記アプリケーション管理インターフェースから削除が指示されたアプリケーションが、前記削除が指示されたアプリケーションにパッケージが含まれる場合に前記パッケージ管理システムが管理しているパッケージの依存関係を更新するか、或いは、前記アプリケーション管理フレームワークが管理しているアプリケーションの依存関係を更新するかを判断することを特徴とする請求項７又は８に記載のプログラム。
【手続補正２】
【補正対象書類名】明細書
【補正対象項目名】０００５
【補正方法】変更
【補正の内容】
【０００５】
本発明はこのような問題点に鑑みなされたもので、アプリケーションの実行環境を意識することなく、統一的にアプリケーションの状態を管理可能にすることを目的とする。
【手続補正３】
【補正対象書類名】明細書
【補正対象項目名】０００６
【補正方法】変更
【補正の内容】
【０００６】
そこで、本発明は、複数のアプリケーションの状態、及び、前記複数のアプリケーションの依存関係を管理するアプリケーション管理フレームワークと、操作情報を入力するためのアプリケーション管理インターフェースと、アプリケーションの実行に必要なファイル群であるパッケージの依存関係を管理するパッケージ管理システムと、を有し、前記アプリケーション管理フレームワークは、前記アプリケーション管理インターフェースから追加が指示されたアプリケーションに設定された設定項目のうち、前記アプリケーションの実行環境に依存する設定項目を参照し、前記実行環境に依存する設定項目に基づいて、前記追加が指示されたアプリケーションにパッケージが含まれる場合に前記含まれるパッケージの依存関係を前記パッケージ管理システムが管理するか、或いは、前記追加が指示されたアプリケーションの依存関係を前記アプリケーション管理フレームワークが管理するかを判断することを特徴とする。
【手続補正４】
【補正対象書類名】明細書
【補正対象項目名】０００７
【補正方法】変更
【補正の内容】
【０００７】
また、本発明は、複数のアプリケーションの状態、及び、前記複数のアプリケーションの依存関係を管理するアプリケーション管理フレームワークと、操作情報を入力するためのアプリケーション管理インターフェースと、アプリケーションの実行に必要なファイル群であるパッケージの依存関係を管理するパッケージ管理システムとを有する情報処理装置におけるアプリケーション管理方法であって、前記アプリケーション管理フレームワークは、前記アプリケーション管理インターフェースから追加が指示されたアプリケーションに設定された設定項目のうち、前記アプリケーションの実行環境に依存する設定項目を参照し、前記実行環境に依存する設定項目に基づいて、前記追加が指示されたアプリケーションにパッケージが含まれる場合に前記含まれるパッケージの依存関係を前記パッケージ管理システムが管理するか、或いは、前記追加が指示されたアプリケーションの依存関係を前記アプリケーション管理フレームワークが管理するかを判断することを特徴とする。
【手続補正５】
【補正対象書類名】明細書
【補正対象項目名】０００８
【補正方法】変更
【補正の内容】
【０００８】
また、本発明は、複数のアプリケーションの状態、及び、前記複数のアプリケーションの依存関係を管理するアプリケーション管理フレームワークと、操作情報を入力するためのアプリケーション管理インターフェースと、アプリケーションの実行に必要なファイル群であるパッケージの依存関係を管理するパッケージ管理システムとしてコンピュータを機能させるためのプログラムであって、前記アプリケーション管理フレームワークは、前記アプリケーション管理インターフェースから追加が指示されたアプリケーションに設定された設定項目のうち、前記アプリケーションの実行環境に依存する設定項目を参照し、前記実行環境に依存する設定項目に基づいて、前記追加が指示されたアプリケーションにパッケージが含まれる場合に前記含まれるパッケージの依存関係を前記パッケージ管理システムが管理するか、或いは、前記追加が指示されたアプリケーションの依存関係を前記アプリケーション管理フレームワークが管理するかを判断することを特徴とする。
【手続補正６】
【補正対象書類名】明細書
【補正対象項目名】０００９
【補正方法】変更
【補正の内容】
【０００９】
本発明によれば、アプリケーションの実行環境を意識することなく、統一的にアプリケーションの状態を管理可能にすることができる。
【手続補正７】
【補正対象書類名】図面
【補正対象項目名】図１１
【補正方法】変更
【補正の内容】
【図１１】
2008305021.tif 000001